(57)【要約】【課題】エッジライト型の照明装置において、シャーシのねじれに対する剛性を向上させること。【解決手段】バックライト装置は、長方形状をなす４枚の板状部材２３、２５の各々がその両端部が互いに重ね合わされることにより枠状とされた枠状部材２２であって、板状部材２２の各々がその一方の端部と他方の端部とにおいて異なる板面で他の板状部材２３、２５と当接するように重ね合わされた枠状部材２２と、枠状部材２２の長辺側（Ｘ軸方向側）において対向する２つの板状部材２３上に配されたＬＥＤ２８と、枠状部材２２の枠内に配され、側面に入光面を有するとともに、入光面から入光したＬＥＤ２８からの光を一方の板面へ導光する導光板とを備える。【選択図】図３
2013125593.tif 000002
【特許請求の範囲】
【請求項１】
長方形状をなす４枚の板状部材の各々がその両端部が互いに重ね合わされることにより枠状とされた枠状部材であって、前記板状部材の各々がその一方の端部と他方の端部とにおいて異なる板面で他の前記板状部材と当接するように重ね合わされた枠状部材と、
少なくとも一つの前記板状部材上に配された光源と、
前記枠状部材の枠内に配され、側面に入光面を有するとともに、前記入光面から入光した前記光源からの光を一方の板面へ導光する導光板と、
を備えることを特徴とする照明装置。
【請求項２】
前記導光板の少なくとも一方の側端部に切り欠きが設けられ、
少なくとも一つの前記板状部材上に固定冶具が設けられ、
前記固定冶具が前記切り欠き内に収容されて該切り欠きと嵌合されることで前記導光板が前記枠状部材上で保持されることを特徴とする請求項１に記載の照明装置。
【請求項３】
隣接する２枚の前記板状部材の重ね合わせ部位の少なくとも一方に段差が設けられていることを特徴とする請求項１又は請求項２に記載の照明装置。
【請求項４】
４枚の前記板状部材の厚みがそれぞれ等しいものとされ、
前記段差が前記板状部材の厚みと等しいものとされていることを特徴とする請求項３に記載の照明装置。
【請求項５】
対向する２枚の前記板状部材の間に橋渡し状に配された第１補強部材とをさらに備えることを特徴とする請求項１から請求項４のいずれか１項に記載の照明装置。
【請求項６】
複数の前記第１補強部材を備えることを特徴とする請求項５に記載の照明装置。
【請求項７】
４枚の前記板状部材の各々は、ビス留めされることにより互いに接続されていることを特徴とする請求項１から請求項６のいずれか１項に記載の照明装置。
【請求項８】
隣接する２枚の前記板状部材の重ね合わせ部位に両板状部材に跨って配された第２補強部材をさらに備えることを特徴とする請求項１から請求項７のいずれか１項に記載の照明装置。
【請求項９】
隣接する２枚の前記板状部材は平面視において直交するように重ね合わされており、
前記第２補強部材は直角三角形状をなすことを特徴とする請求項８に記載の照明装置。
【請求項１０】
少なくとも一つの前記板状部材が、該板状部材の板面から前記導光板の前記一方の板面側へ立ち上がる立ち上がり部を有することを特徴とする請求項１から請求項９のいずれか１項に記載の照明装置。
【請求項１１】
前記光源が配された前記板状部材が金属製とされていることを特徴とする請求項１から請求項１０のいずれか１項に記載の照明装置。
【請求項１２】
請求項１から請求項１１のいずれか１項に記載の照明装置からの光を利用して表示を行う表示パネルを備えることを特徴とする表示装置。
【請求項１３】
前記表示パネルが液晶を用いた液晶パネルであることを特徴とする請求項１２に記載の表示装置。
【請求項１４】
請求項１２又は請求項１３に記載の表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。
【０００３】
バックライト装置では、シャーシ等の筐体内にＬＥＤ等の光源が配される。この筐体には、外部からの振動や衝撃等によりねじれが発生することがある。筺体にねじれが発生すると、液晶パネルの表示面において、いわゆる白ぬけ現象や光漏れ等の表示不良が発生することがある。このため、バックライト装置では、筺体のねじれに対する剛性を高めることが求められる。筐体のねじれに対する剛性が高められた液晶表示装置用のボトムフレームが、例えば特許文献１に開示されている。
【先行技術文献】
【特許文献】
【０００４】
【特許文献１】特開２００７−１１３６１号公報
【発明の概要】
【発明が解決しようとする課題】
【０００５】
ところで、バックライト装置には、導光板の側面に入光面が設けられ、導光板の側面側にＬＥＤ等の光源が配されたエッジライト型のものと、液晶パネルに対してその背面から光を直接供給する直下型のものとが知られている。しかしながら、特許文献１のボトムフレームには、筺体の底板上に液晶パネル側に向かって突出する固定バーが設けられている。このため、上記のボトムフレームにおいては筺体内に導光板等を収容させることができず、エッジライト型のバックライト装置を備える液晶表示装置に対応させることができない。
【０００６】
本明細書で開示される技術は、上記の課題に鑑みて創作されたものである。本明細書で開示される技術は、エッジライト型の照明装置において、シャーシのねじれに対する剛性を向上させることができる技術を提供することを目的とする。
【課題を解決するための手段】
【０００７】
本明細書で開示される技術は、長方形状をなす４枚の板状部材の各々がその両端部が互いに重ね合わされることにより枠状とされた枠状部材であって、前記板状部材の各々がその一方の端部と他方の端部とにおいて異なる板面で他の前記板状部材と当接するように重ね合わされた枠状部材と、少なくとも一つの前記板状部材上に配された光源と、前記枠状部材の枠内に配され、側面に入光面を有するとともに、前記入光面から入光した前記光源からの光を一方の板面へ導光する導光板と、を備える照明装置に関する。
【０００８】
このような照明装置によれば、枠状部材において各板状部材の重ね合わせ態様が平面視において非対称となるので、筺体としての枠状部材においてねじれが生じた場合に、ねじれによる応力が各板状部材の一端に偏ることなく分散される。例えば、枠状部材にねじれが生じることにより枠状部材を構成する一枚の板状部材において、その一端が照明装置の表側に、他端が照明装置の裏側に向かう方向の応力が加わった場合、当該板状部材の一端は他の板状部材とその表側の板面で当接しているので、他の板状部材にその応力が分散し、当該板状部材の他端は他の別の板状部材とその裏側の板面で当接しているので、他端においても他の別の板状部材にその応力が分散する。即ち、板状部材の両端部からそれぞれ応力が分散されることとなる。このため、筺体のねじれに対する剛性を向上させることができる。さらに、底板等を有さない枠状部材を筺体とすることで、照明装置の軽量化及びコスト低減を図ることができる。
【０００９】
前記導光板の少なくとも一方の側端部に切り欠きが設けられ、少なくとも一つの前記板状部材上に固定冶具が設けられ、前記固定冶具が前記切り欠き内に収容されて該切り欠きと嵌合されることで前記導光板が前記枠状部材上で保持されてもよい。
この構成によると、導光板を枠状部材の枠内に保持するための具体的な構成を実現することができる。
【００１０】
隣接する２枚の前記板状部材の重ね合わせ部位の少なくとも一方に段差が設けられていてもよい。
この構成によると、２枚の板状部材の重ね合わせ部位において板状部材を重ね合わせ易いものとすることができる。
【００１１】
４枚の前記板状部材の厚みがそれぞれ等しいものとされ、前記段差が前記板状部材の厚みと等しいものとされていてもよい。
この構成によると、枠状部材の厚みを各板状部材の間で均一なものとすることができる。
【００１２】
対向する２枚の前記板状部材の間に橋渡し状に配された第１補強部材とをさらに備えてもよい。
この構成によると、枠状部材における枠内の剛性を第１補強部材によって高めることができる。
【００１３】
複数の前記第１補強部材を備えてもよい。
この構成によると、枠状部材における枠内の剛性を第１補強部材によって一層高めることができる。
【００１４】
４枚の前記板状部材の各々は、ビス留めされることにより互いに接続されていてもよい。
この構成によると、枠状部材を構成する各板状部材を外れ難いものとすることができる。
【００１５】
隣接する２枚の前記板状部材の重ね合わせ部位に両板状部材に跨って配された第２補強部材をさらに備えてもよい。
この構成によると、第２補強部材によって、枠状部材を構成する各板状部材を外れ難いものとしながら、板状部材の重ね合わせ部位の剛性を高めることができる。
【００１６】
隣接する２枚の前記板状部材は平面視において直交するように重ね合わされており、前記第２補強部材は直角三角形状をなしてもよい。
この構成によると、第２補強部材の直角部位を枠状部材の四隅にそれぞれ合わせて配することで、第２補強部材が枠状部材の枠外へはみ出さないものとすることができる。
【００１７】
少なくとも一つの前記板状部材が、該板状部材の板面から前記導光板の前記一方の板面側へ立ち上がる立ち上がり部を有してもよい。
この構成によると、光源を立ち上がり部に配することで、光源を導光板の入光面と対向させ易いものとすることができる。
【００１８】
前記光源が配された前記板状部材が金属製とされていてもよい。
この構成によると、板状部材を放熱部材として兼用させることができ、光源の発光に伴う熱を効果的に放熱させることができる。
【００１９】
本明細書で開示される技術は、上記の照明装置からの光を利用して表示を行う表示パネルと、を備える表示装置として表現することもできる。また、上記表示パネルを、液晶を用いた液晶パネルとする表示装置も、新規で有用である。また、上記の表示装置を備えるテレビ受信装置も、新規で有用である。
【発明の効果】
【００２０】
本明細書で開示される技術によれば、エッジライト型の照明装置において、シャーシのねじれに対する剛性を向上させることができる技術を提供することができる。
【図面の簡単な説明】
【００２１】
【図１】実施形態１に係るテレビ受信装置ＴＶの分解斜視図
【図２】液晶表示装置１０の分解斜視図
【図３】枠状部材２２を裏側から視た平面図
【図４】図３におけるiv−iv断面の断面図であって、枠状部材２２の短辺方向に沿った断面図
【図５】図３におけるv−v断面の断面図であって、枠状部材２２の長辺方向に沿った断面図
【図６】枠状部材２２において短辺側の一方の板状部材２３を裏側から視た拡大斜視図
【図７】実施形態２に係る枠状部材１２２を裏側から視た平面図
【図８】実施形態３に係る枠状部材２２２を裏側から視た平面図
【発明を実施するための形態】
【００２２】
＜実施形態１＞
図面を参照して実施形態１を説明する。本実施形態では、液晶表示装置１０について例示する。なお、各図面の一部にはＸ軸、Ｙ軸及びＺ軸を示しており、各軸方向が各図面で示した方向となるように描かれている。また、図２に示す上側を表側とし、同図下側を裏側とする。
【００２３】
本実施形態に係るテレビ受信装置ＴＶは、図１に示すように、表示装置である液晶表示装置１０と、当該液晶表示装置１０を挟むようにして収容する表裏両キャビネットＣａ、Ｃｂと、電力供給のための電源回路基板Ｐと、テレビ画像信号を受信可能なチューナー（受信部）Ｔと、チューナーＴから出力されたテレビ画像信号を当該液晶表示装置１０用の画像信号に変換する画像変換回路基板ＶＣと、スタンドＳとを備えて構成される。
【００２４】
液晶表示装置１０は、全体として横長（長手）の方形状（矩形状）をなし、長辺方向を水平方向（Ｘ軸方向）と、短辺方向を垂直方向（Ｙ軸方向、鉛直方向）とそれぞれ一致させた状態で収容されている。この液晶表示装置１０は、図２に示すように、表示パネルである液晶パネル１６と、外部光源であるバックライト装置（照明装置の一例）２４とを備え、これらが枠状のベゼル１２などにより一体的に保持されるようになっている。
【００２５】
液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２６】
続いて、液晶表示装置１０におけるバックライト装置２４の構成について説明する。バックライト装置２４は、図２に示すように、枠状をなす枠状部材２２（図３参照）と、枠状部材２２の表側を覆う形で配される光学部材１８と、枠状部材２２の外周に沿って配され光学部材１８の外端部を枠状部材２２との間で挟んで保持するフレーム１４とを備える。枠状部材２２は、長方形状をなす４枚の板状部材２３、２５の各両端部が重ね合わされることによりなっており、図３に示すように、平面視において長方形状をなしている。枠状部材２２を構成する板状部材２３、２５のうち、長辺方向（Ｘ軸方向）において対向する一対の板状部材２３，２３上にはそれぞれ当該板状部材２３の延びる方向に沿ってＬＥＤユニット３２，３２が配されている。さらに、枠状部材２２の枠内には、導光板２０と反射シート２６とが保持されており、導光板２０の長辺側の両側端部とＬＥＤユニット３２とが対向して配置された構成となっている。このようにバックライト装置２４では、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。なお、枠状部材２２及び第１補強部材２７の構成については、後で詳しく説明する。
【００２７】
光学部材１８は、導光板２０側から順に、拡散シート１８ａ、レンズシート１８ｂ、反射型偏光板１８ｃが積層されたものである。拡散シート１８ａ、レンズシート１８ｂ、反射型偏光板１８ｃは、ＬＥＤユニット３２から出射され、導光板２０を通過した光を面状の光とする機能を有している。反射型偏光板１８ｃの上面側には液晶パネル１６が設置されており、光学部材１８は導光板２０と液晶パネル１６との間に配されている。
【００２８】
ＬＥＤユニット３２は、樹脂製の矩形状を成すＬＥＤ基板３０に、白色発光するＬＥＤ２８が一列に並んだ構成となっている。ＬＥＤ基板３０は、ＬＥＤ２８が配された面とは反対側の面が後述する板状部材２３の立ち上がり部２３ｂと当接した状態で配されている。なお、ＬＥＤ２８は、青色発光素子に、黄色の領域に発光ピークを持つ蛍光体を塗布することにより白色発光するものとしたものであってもよい。また、青色発光素子に、緑色と赤色の領域にそれぞれ発光ピークを持つ蛍光体を塗布することにより白色発光するものとしたものであってもよい。また、青色発光素子に、緑色の領域に発光ピークを持つ蛍光体を塗布すると共に、赤色発光素子を組み合わせることにより白色発光するものとしたものであってもよい。また、ＬＥＤ２８は、青色発光素子と、緑色発光素子と、赤色発光素子と、を組み合わせることにより白色発光するものとしたものであってもよい。また、紫外光発光素子と、蛍光体と、を組み合わせたものであってもよい。特に、紫外光発光素子に、青色と緑色と赤色にそれぞれ発光ピークを持つ蛍光体を塗布することにより白色発光するものとしたものであってもよい。
【００２９】
導光板２０は、矩形状の板状部材とされ、アクリル等の透光性の大きい（透明度の高い）樹脂により形成されており、反射シート２６と当接していると共に、シャーシ２２によって支持されている。導光板２０は、図２及び図３に示すように、各ＬＥＤ２８の間に、主板面である出光面２０ｂを拡散シート１８ａ側に向け、出光面２０ｂとは反対側の板面である反対板面２０ｃを反射シート２６側に向ける形で配されている。このような導光板２０が配設されることにより、ＬＥＤ光源２８から生じた光は、導光板２０の入光面２０ａから入射して拡散シート１８ａと対向する出光面２０ｂから出射することで、液晶パネル１６をその背面側から照射する。
【００３０】
反射シート２６は、枠状部材の枠内において導光板２０の反対板面２０ｃ側にその表面が当該反対板面２０ｃと当接した形で配されている。反射シート２６は、その表側に反射面を有し、導光板２０から漏れた光を反射させることで、光を導光板２０の反対板面２０ｃから導光板２０内へと入射させる役割を果たしている。
【００３１】
続いて本実施形態の要部である枠状部材２２の構成について詳しく説明する。枠状部材２２は、金属製とされ、図２及び図３に示すように、厚みが等しい４枚の板状部材２３、２５の各両端部が互いに重なり合うことにより構成されている。各板状部材２３、２５は、それぞれ長方形状をなしており、長さの異なる二対の板状部材２３，２３、２５，２５によりなっている。各板状部材２３、２５は、その板面における両端部が、他の板状部材２３、２５の板面における両端部と平面視において直交するようにそれぞれ重なり合わされるとともに、同じ長さの板状部材２３、２５が対向するような形でそれぞれ重なり合わされている。このため枠状部材２２は、全体として長方形状をなす枠状となっており、その長辺側を構成する一対の板状部材２３，２３は液晶パネル１６の長辺方向（Ｘ軸方向）に沿うものとされ、その短辺側を構成する一対の板状部材２５，２５は液晶パネル１６の短辺方向（Ｙ軸方向）に沿うものとされている（図２参照）。なお、各板状部材２３、２５は、その両端部がそれぞれ粘着テープ等で貼り付けられることにより取り付けられている。
【００３２】
板状部材２２の長辺側（Ｘ軸方向側）を構成する両板状部材２３，２３は、それぞれその板面を構成する底部２３ａと、底部２３ａの外側（枠状部材２３の外側）に位置する端縁からバックライト装置２４の表側（導光板２０の出光面２０ｂ側、液晶パネル１６側）に向かって壁状に立ち上がる立ち上がり部２３ｂと、から構成されている。立ち上がり部２３ｂには、その内側（枠状部材２２の内側）の板面上に、既述したＬＥＤユニット３２がその光出射側が内側（枠状部材２２の内側）を向くようにビス留め等により取り付けられている。板状部材２３にこのように立ち上がり部２３ｂを設けてＬＥＤユニット３２を取り付けることにより、ＬＥＤ２４の光出射側が導光板２０の側端部に向くようにＬＥＤユニット３２を配し易いものとなっている。
【００３３】
各板状部材２３、２５は、その一方の端部と他方の端部とにおいて異なる板面で他の板状部材２３、２５と当接するように重ね合わされている。ここで、各板状部材２３、２５は、その一方の端部と他方の端部（他の板状部材２３、２５との重ね合わせ部位）とにおいて、異なる板面にそれぞれ段差２３ｓ、２５ｓが設けられている。これらの段差２３ｓ、２５ｓの高さは４枚の板状部材２３、２５の間で互いに等しいものとされている。このため、各板状部材２３、２５の重ね合わせ部位とその他の部位との厚みは等しいものとなっており、枠状部材２２の裏面は平坦なものとなっている。
【００３４】
枠状部材２２の裏側には、枠状部材２２の長辺側を構成する両板状部材２３，２３の間に、両者を架橋する形で板状をなす長方形状の２枚の第１補強部材２７，２７が取り付けられている。各第１補強部材２７は、その両端部が板状部材２３に対してビスＳＣでビス留めされることにより板状部材２３に取り付けられている。また、上述したように枠状部材２２の裏面は平坦なものとなっているので、取り付け部位にがたつきが生じることなく、両板状部材２３，２３の間に第１補強部材２７を取り付けることができる。なお、第１補強部材２７は、図５に示すように、断面視においてその中央が凹むような形で折り曲げられた形状とされており、これにより第１補強部材２７の剛性が高められている。
【００３５】
続いて枠状部材２２の枠内に導光板２０及び反射シート２６が保持される態様について説明する。図２に示すように、導光板２０の短辺側（Ｙ軸方向側、ＬＥＤユニット３２と対向していない側）の側端部には、その中央近傍に開口が矩形状をなす切り欠き２０ｄが設けられている。また、当該切り欠き２０ｄと重畳する反射シート２６の部位にも断面が同様の形状及び大きさとされた切り欠き（図示せず）が設けられている。一方、図２及び図３に示すように、枠状部材２２の短辺側（Ｙ軸方向側）を構成する両板状部材２５，２５の表面には、それぞれその中央近傍に略ブロック状をなす金属製の固定冶具３１が配されている。固定冶具３１は、板状部材２５に対してビスＳＣでビス留めされることにより板状部材２５上に取り付けられている。導光板２０及び反射シート２６に設けられた切り欠き２０ｄの大きさは、この固定冶具３１よりわずかに大きなものとされている。このため、固定冶具３１が切り欠き２０ｄ内に収容されて当該切り欠き２０ｄと嵌合することにで、導光板２０及び反射シート２６が固定冶具３１によって位置決めされ、枠状部材２２の枠内において導光板２０及び反射シート２６が保持される構成となっている。
【００３６】
さて、枠状部材２２では、各板状部材２３、２５がその一方の端部と他方の端部とにおいて異なる板面で他の板状部材２３、２５と当接するように重ね合わされているから、枠状部材２２にねじれが生じた場合であっても、各板状部材２３、２５においてねじれによる応力が偏ることなく、各板状部材２３、２５の両端部からそれぞれ他の板状部材２３，２５へと応力が分散されることとなる。このため、バックライト装置２４では、筺体としての枠状部材２２のねじれに対する剛性が向上された構成となっている。
【００３７】
以上のように本実施形態に係るバックライト装置２４では、枠状部材２２において各板状部材２３、２５の重ね合わせ態様が平面視において非対称となるので、筺体としての枠状部材２２においてねじれが生じた場合に、ねじれによる応力が各板状部材２３、２５の一端に偏ることなく分散される。例えば、枠状部材２２にねじれが生じることにより枠状部材２２の長辺側（Ｘ軸方向側）を構成する一枚の板状部材２３において、その一端がバックライト装置２４の表側に向かう方向に、他端がバックライト装置２４の裏側に向かう方向に、それぞれ応力が加わった場合、当該板状部材２３の一端は短辺側（Ｙ軸方向側）の一方の板状部材２５とその表側の板面で当接しているので、他の板状部材２５にその応力が分散し、当該板状部材２３の他端は短辺側の他方の板状部材２５とその裏側の板面で当接しているので、他端においても他方の板状部材２５にその応力が分散する。即ち、板状部材２３の両端部からそれぞれ応力が分散されることとなる。このため、筺体としての枠状部材２２のねじれに対する剛性を向上させることができる。さらに、底板等を有さない枠状部材２２を筺体とすることで、バックライト装置２４の軽量化及びコスト低減を図ることができる。
【００３８】
また、本実施形態に係るバックライト装置２４では、導光板２０の短辺側の側端部に切り欠き２０ｄが設けられるとともに、当該切り欠き２０ｄと重畳する反射シート２６の部位に切り欠きが設けられている。また、枠状部材２２の両短辺を構成する板状部材２５上に固定冶具３１が設けられている。そして、この固定冶具３１が導光板２０に設けられた切り欠き内及び反射シート２６に設けられた切り欠き２０ｄ内に収容されて当該切り欠き２０ｄと嵌合されることで導光板２０が枠状部材２２上で保持される構成が実現されている。
【００３９】
また、本実施形態に係るバックライト装置２４では、隣接する２枚の板状部材２３、２５の重ね合わせ部位のにそれぞれ段差２３ｓ、２５ｓが設けられている。このため、２枚の板状部材２３、２５の重ね合わせ部位において板状部材２３、２５を重ね合わせ易いものとすることができる。
【００４０】
また、本実施形態に係るバックライト装置２４では、４枚の板状部材２３、２５の厚みがそれぞれ等しいものとされている。そして、各板状部材２３、２５の両端部に設けられた段差２３ｓ、２５ｓが板状部材２３、２５の厚みと等しいものとされている。これにより、枠状部材２２の厚みが各板状部材２３、２５の間で均一なものとされている。
【００４１】
また、本実施形態に係るバックライト装置２４では、枠状部材の長辺側で対向する２枚の板状部材２３の間に橋渡し状に配された２つの第１補強部材２７をさらに備えている。このため、枠状部材２２における枠内の剛性が第１補強部材２７によって高められている。
【００４２】
また、本実施形態に係るバックライト装置２４では、枠状部材２２の長辺側の両板状部材２３，２３が、板状部材２３の板面から導光板２０の出光面２０ｂ側へ立ち上がる立ち上がり部２３ｂを有している。このため、ＬＥＤ２８を立ち上がり部２３ｂに配することで、ＬＥＤ２８を導光板２０の入光面２０ａと対向させ易いものとすることができる。
【００４３】
＜実施形態２＞
図面を参照して実施形態２を説明する。実施形態２は、重ね合わせた板状部材１２３、１２５の取り付け態様が実施形態１のものと異なっている。その他の構成については実施形態１のものと同様であるため、構造、作用、及び効果の説明は省略する。なお、図７において、図３の参照符号に数字１００を加えた部位は、実施形態１で説明した部位と同一である。
【００４４】
実施形態２に係るバックライト装置では、図７に示すように、各板状部材１２３、１２５の重ね合わせ部位において枠状部材１２２の裏面側からビスＳＣによってビス留めされることにより、各板状部材１２３、１２５が互いに接続された構成となっている。このようにビス留めされることにより、枠状部材１２２を構成する各板状部材１２３、１２５を互いに外れ難いものとなっている。
【００４５】
＜実施形態３＞
図面を参照して実施形態３を説明する。実施形態３は、重ね合わせた板状部材２２３、２２５の取り付け態様が実施形態１及び実施形態２のものと異なっている。その他の構成については実施形態１のものと同様であるため、構造、作用、及び効果の説明は省略する。なお、図８において、図３の参照符号に数字２００を加えた部位は、実施形態１で説明した部位と同一である。
【００４６】
実施形態３に係るバックライト装置では、図８に示すように、枠状部材２２２において隣接する２枚の板状部材２２３、２２５の重ね合わせ部位に、両板状部材２２３、２２５に跨って第２補強部材２２９が配されている。第２補強部材２２９は、直角三角形状をなしており、その直角とされた部位が直交するように重ね合わされた２枚の板状部材２２３、２２５の角部と重畳するように配されている。このため、第２補強部材２２９は、枠状部材２２２の枠外へはみ出さないものとなっている。また、第２補強部材２２９は、２枚の板状部材２２３、２２５にそれぞれビスＳＣによってビス留めされることにより取り付けられている。このように第２補強部材２２９が取り付けられることにより、第２補強部材２２９によって枠状部材２２２を構成する各板状部材２２３、２２５が外れ難いものとなっているとともに、板状部材２２２の重ね合わせ部位における剛性が高められている。
【００４７】
上記の各実施形態の変形例を以下に列挙する。
（１）上記の各実施形態では、枠状部材を構成する４枚の板状部材が、その重ね合わせ部位において互いに直交するように重ね合わされた構成を例示したが、各板状部材の重ね合わせ角度については限定されない。
【００４８】
（２）上記の各実施形態では、導光板の側端部に切り欠きを設け、板状部材上に固定冶具を取り付け、両者を嵌合させることで枠状部材の枠内において導光板が保持される構成を例示したが、導光板を保持するための構成については限定されない。例えば、各板状部材の内縁部に段差を設け、その段差に導光板の裏面の外縁を載せることにより、導光板が枠状部材の枠内に保持される構成としてもよい。
【００４９】
（３）上記の各実施形態以外にも、枠状部材を構成する各板状部材の接続態様、材料等については、適宜に変更可能である。
【００５０】
（４）上記の各実施形態では、表示パネルとして液晶パネルを用いた液晶表示装置を例示したが、他の種類の表示パネルを用いた表示装置にも本発明は適用可能である。
【００５１】
（５）上記の各実施形態では、チューナーを備えたテレビ受信装置を例示したが、チューナーを備えない表示装置にも本発明は適用可能である。
【００５２】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００５３】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５４】
ＴＶ…テレビ受信装置、Ｃａ、Ｃｂ…キャビネット、Ｔ…チューナー、ＶＣ…画像変換回路基板、Ｓ…スタンド、１０…液晶表示装置、１２…ベゼル、１４…フレーム、１６…液晶パネル、１８…光学部材、２０…導光板、２２、１２２、２２２…枠状部材、２３、１２３、２２３…（長辺側の）板状部材、２３ａ…底部、２３ｂ…立ち上がり部、２３ｓ、２５ｓ…段差、２４…バックライト装置、２５、１２５、２２５…（短辺側の）板状部材、２６：反射シート、２７、１２７、２２７…第１補強部材、２８、１２８、２２８…ＬＥＤ、３０、１３０、２３０…ＬＥＤ基板、３２、１３２、２３２…ＬＥＤユニット、２２９…第２補強部材、ＳＣ…ビス
【図１】
2013125593.tif 000003
【図２】
2013125593.tif 000004
【図３】
2013125593.tif 000005
【図４】
2013125593.tif 000006
【図５】
2013125593.tif 000007
【図６】
2013125593.tif 000008
【図７】
2013125593.tif 000009
【図８】
2013125593.tif 000010